(57)【特許請求の範囲】
【請求項１】
電気ポットの注ぎ口の直下に配置することで熱湯の跳ね返りならびに飛散防止を図る電気ポット用熱湯注出補助具であって、
前記電気ポット用熱湯注出補助具は、ストッパーフレームと、スライド機構と、載置台と、スタンド基台と、で構成され、
前記ストッパーフレームは、前方が開口する略馬蹄形を有して前記スライド機構のスライドフレームの上端に設けられ、
前記スライド機構は、前記スライドフレーム内に上方へ付勢する伸縮性弾性部材を配して電気ポットの前面または前方両側面に一または複数配置されると共に、前記載置台を上下にスライド可能とする構造を有して形成され、
前記載置台は、前記スライドフレームの前方に突設するフラット状の板部材で形成されて前記スライドフレーム内を上下にスライド可能とする構造を有して形成され、
前記スタンド基台は、補助具本体を安定的に支持する土台形状を形成して前記スライド機構のスライドフレームの下端に設けられていることを特徴とするポット用熱湯抽出補助具。
【請求項２】
前記載置台の後方に突設され、前記スライドフレームに所定の間隔で列設される位置決め部へ弾性体を介して常時付勢するスライド構造を有したストッパー機構が設けられていることを特徴とする請求項１に記載の電気ポット用熱湯注出補助具。
【請求項３】
前記載置台の上面に前後にスライドならびに係止する構造を有する第二のスライド機構を備えたスライド載置板が設けられていることを特徴とする請求項１または請求項２に記載の電気ポット用熱湯注出補助具。
【請求項４】
前記載置台の下端面の下方に延設されると共に、前記スライドフレームの前面に当接する形状に形成されるストッパー梁フレームを設け、該ストッパー梁フレームと前記スライドフレームの当接面の下端に弾性を有する係止部材が突設していることを特徴とする請求項１から請求項３のいずれかに記載の電気ポット用熱湯注出補助具。
【請求項５】
前記スタンド基台が、電気ポットを載置する土台形状を形成して前記スライドフレームの下端後方に設けられていることを特徴とする請求項１から請求項４のいずれかに記載の電気ポット用熱湯注出補助具。
【発明の詳細な説明】
【技術分野】
【０００１】
本発明は、電気ポットの注ぎ口の直下に配置することで熱湯の跳ね返りならびに飛散防止を図ることができる電気ポット用熱湯注出補助具に関する。
【背景技術】
【０００２】
従来より、電気ポットからお湯を注ぐ場合、カップを片手で持ちながら電気ポットの注ぎ口に近づけ、もう一方の手で電気ポットを操作しなければならず、その操作を行うには幾ばくかの煩わしさが伴うものであった。一方、カップを置いて電気ポットの注ぎ口からカップにお湯を注ぐ場合は、カップに注がれたお湯が飛び跳ねることによって、操作する人がヤケドを負う危険性があるものであった。
【０００３】
上記問題を解決するべく、従来、お湯を注ぐ作業の煩わしさを解消すると共に、電気ポットの熱湯の跳ね返りならびに飛散防止を図ることができる電気ポット用熱湯注出補助具に関する提案が数多くなされている。
【０００４】
かかる従来の電気ポット用熱湯注出補助具に関する具体的な提案としては、例えば、電気ポットの注ぎ口に伸縮自在な角度を変えることができるジャバラ口を設けて、電気ポットの注ぎ口の下に置いた湯飲み茶碗のお湯がハネない様にした「電気ポットの注ぎ口に、ジャバラ口を設けた電気ポット」（特許文献１）や、底の浅い有底円筒状の載置部と、該載置部を下側から支持している有底円筒状の収納部を備えると共に、載置部の底には底の直径方向に間隔をおいて２個の貫通孔を形成した「飲料用容器の注ぎ台」（特許文献２）、さらに、磁石入りのアームを電気ポットの胴部に抱きつかせて上下にスライドさせることによって、自由に湯口の高さを調節することができる「電気ポット湯注ぎ調節台」（特許文献３）などが提案され、公知技術となっている。
【０００５】
しかしながら、上記における電気ポット用熱湯注出補助具に関する提案は、ジャバラ部の山の部分に熱湯の一部が残存して衛生的に問題がある提案であったり、注がれる容器が湯呑み茶碗に限定される利便性などに問題がある提案であったり、一定の重量に耐えられない安全性などに問題がある提案であった。
【０００６】
本出願人は、以上のような従来から提案されている電気ポット用の熱湯注出補助具の問題点に着目し、それらの問題点を簡易的な構造ならびに廉価な手段によって解決することができないものかという着想の下、電気ポットの注ぎ口の直下に配置することで熱湯の跳ね返りならびに飛散防止を図ることができることができる電気ポット用の熱湯注出補助具を開発し、本発明における「電気ポット用熱湯注出補助具」の提案に至るものである。
【先行技術文献】
【特許文献】
【０００７】
【特許文献１】特開２００９−１３６６４２号公報
【特許文献２】特開２００３−３８３５２号公報
【特許文献３】特開２００８−８６７３９号公報
【発明の概要】
【発明が解決しようとする課題】
【０００８】
本発明は、上記問題点を鑑み、電気ポットの注ぎ口の直下に配置することで熱湯の跳ね返りならびに飛散防止を図ることができる電気ポット用熱湯注出補助具を提供することを課題とする。
【課題を解決するための手段】
【０００９】
上記課題を解決するため、本発明は、電気ポットの注ぎ口の直下に配置することで熱湯の跳ね返りならびに飛散防止を図る電気ポット用熱湯注出補助具であって、ストッパーフレームと、スライド機構と、載置台と、スタンド基台と、で構成され、ストッパーフレームは、前方が開口する略馬蹄形を有してスライド機構のスライドフレームの上端に設けられ、スライド機構は、スライドフレーム内に上方へ付勢する伸縮性弾性部材を配して電気ポットの前面または前方両側面に一または複数配置されると共に、載置台を上下にスライド可能とする構造を有して形成され、載置台は、スライドフレームの前方に突設するフラット状の板部材で形成されてスライドフレーム内を上下にスライド可能とする構造を有して形成され、スタンド基台は、補助具本体を安定的に支持する土台形状を形成して前記スライド機構のスライドフレームの下端に設けられている手段を採る。
【００１０】
また、本発明は、前記載置台の後方に突設され、前記スライドフレームに所定の間隔で列設される位置決め部へ弾性体を介して常時付勢するスライド構造を有したストッパー機構が設けられている手段を採る。
【００１１】
さらに、本発明は、前記載置台の上面に前後にスライドならびに係止する構造を有する第二のスライド機構を備えたスライド載置板が設けられている手段を採る。
【００１２】
またさらに、本発明は、前記載置台の下端面の下方に延設されると共に、前記スライドフレームの前面に当接する形状に形成されるストッパー梁フレームを設け、該ストッパー梁フレームと前記スライドフレームの当接面の下端に弾性を有する係止部材が突設している手段を採る。
【００１３】
そしてまた、本発明は、前記スタンド基台が、電気ポットを載置する土台形状を形成して前記スライド機構の下端後方に設けられている手段を採る。
【発明の効果】
【００１４】
本発明にかかる電気ポット用熱湯注出補助具によれば、ストッパーフレームと、スライド機構と、載置台と、スタンド基台と、で構成されていることによって、高さの異なる湯のみカップや即席カップラーメンに合わせて自在に湯口の調整ができる、といった優れた効果を奏する。
【００１５】
また、本発明にかかる電気ポット用熱湯注出補助具によれば、載置台に第二のスライド機構を備えたスライド載置板が設けられていることによって、湯のみカップや即席ラーメンカップの出し入れが安全且つ容易にできる、といった優れた効果を奏する。
【００１６】
さらに、本発明にかかる電気ポット用熱湯注出補助具によれば、載置台の下端面に下方にストッパー梁フレームが設けられる構造を有していることによって、載置台に載せられる湯のみカップや即席カップラーメンの重量によって取り出し行為の安全性が保たれる、といった優れた効果を奏する。
【００１７】
またさらに、本発明にかかる電気ポット用熱湯注出補助具によれば、スタンド基台が、電気ポットを載置する土台形状を形成してスライド機構の下端後方に設けられて電気ポット自体の重量に支えられることによって、安定的に電気ポット用熱湯注出補助具が備えられる、といった優れた効果を奏する。
【図面の簡単な説明】
【００１８】
【図１】本発明にかかる電気ポット用熱湯注出補助具の第一及び第二の実施形態を示す説明図である。（実施例１，２）
【図２】本発明にかかる電気ポット用熱湯注出補助具の第三の実施形態を示す説明図である。（実施例３）
【図３】本発明における電気ポット用熱湯注出補助具の第四の実施形態を示す説明図である。（実施例４）
【図４】本発明における電気ポット用熱湯注出補助具の第五の実施形態を示す説明図である。（実施例５）
【発明を実施するための形態】
【００１９】
本発明にかかる電気ポット用熱湯注出補助具１０は、ストッパーフレーム２０と、スライド機構３０と、載置台４０と、スタンド基台６０と、で構成されて、電気ポットＰの注ぎ口の直下に配置することで熱湯の跳ね返りならびに飛散防止を図る手段を採ったことを最大の特徴とする。
以下、本発明にかかる電気ポット用熱湯注出補助具１０の実施形態を、図面に基づいて説明する。
【００２０】
尚、本発明にかかる電気ポット用熱湯注出補助具１０は、以下に述べる実施例に限定されるものではなく、本発明の技術的思想の範囲内、すなわち同一の作用効果を発揮できる形状や寸法等の範囲内で、適宜変更することができる。
【実施例１】
【００２１】
図1（ａ）及び（ｂ）は、本発明にかかる電気ポット用熱湯注出補助具１０の第一の実施形態を示しており、（ａ）はスライドフレーム３１が複数の場合の全体斜視図、（ｂ）はその拡散分解図である。
本実施形態にかかる電気ポット用熱湯注出補助具１０は、ストッパーフレーム２０と、スライド機構３０と、載置台４０と、スタンド基台６０と、で構成されている。
【００２２】
ストッパーフレーム２０は、前方が開口する略馬蹄形を有してスライドフレーム３１の上端に設けられている。該ストッパーフレーム２０における開口は、電気ポットＰの湯口が位置する部分であり、開口以外のストッパーフレーム２０に湯のみカップや即席カップラーメンＣの上縁が当接される形状となっている。
【００２３】
スライド機構３０は、スライド凹部を形成するＣ形アングル状のスライドフレーム３１内に上方へ付勢するバネ等の伸縮性弾性部材３４を配して電気ポットＰの前面または前方両側面に一または複数配置されると共に、載置台４０を上下にスライド可能とするスライド溝３２とそのスライド溝３２内をスライド摺動するスライドコマ３３によって形成される。
尚、スライド機構３０は、スライドフレーム３１内を上下移動する機能を有した構造であれば、その構造と手段は特に限定するものではない。
また、スライドフレーム３１内における伸縮性弾性部材３４の配置について、スライド機構３０に対し上方へ付勢可能であれば特に限定するものではなく、図面ではスライドコマ３３の下方に伸縮性弾性部材３４を配して下から上へ押し上げる様に付勢する態様について示しているが、該伸縮性弾性部材３４をスライドコマ３３の上方に配して引き上げる様に付勢する態様であってもよく、更には、スライドコマ３３の上方と下方の両方に伸縮性弾性部材３４を配する態様であっても構わない。
【００２４】
載置台４０は、スライドフレーム３１の前方に突設するフラット状の板部材で形成されており、湯のみカップや即席カップラーメンＣが安定的に載置されると共に、スライドフレーム３１内にて水平状態を維持したままで上下にスライド可能とするスライド機構３０に連結される構造を有して形成される。
【００２５】
スタンド基台６０は、補助具本体１１を安定的に支持する土台形状（特に形状は限定されない）を形成してスライドフレーム３１の下端に設けられる。
【００２６】
以上の通り構成される本実施形態にかかる電気ポット用熱湯注出補助具１０について、次にその使用態様について説明する。尚、説明の便宜上、即席カップラーメンＣに熱湯を注ぐ場合について説明する。
（１）載置台４０の前方に突出している摘み４０ａに指を引っ掛けて下方へ付勢し、定位置（スライドフレーム３１の上方位置）にある載置台４０を押し下げる。このとき、少なくともストッパーフレーム２０と載置台４０の間に即席カップラーメンＣを載置可能な位置まで、載置台４０を下方へ押し下げる。
（２）載置台４０の上面に密封蓋を開封した即席カップラーメンＣを載せる。
（３）摘み４０ａに引っ掛けた指を離す。すると載置台４０は、上方へ付勢する伸縮性弾性部材３４の作用により、自然と上方へ引き上げられる。
（４）引き上げられた載置台４０は、その上面に載せられた即席カップラーメンＣの上縁がストッパーフレーム２０に当接した状態で停止する。
（５）電気ポットＰの熱湯スイッチを押して、即席カップラーメンＣに熱湯を注ぐ。熱湯が注がれた即席カップラーメンＣは、当初から次第に重量が増すため、伸縮性弾性部材３４の上方への付勢力が徐々に弱まり、載置台４０が少しづつ下方へ押し下げられる。これにより、即席カップラーメンＣの上縁とストッパーフレーム２０との当接状態が解放される。
（６）熱湯の注ぎが完了した段階で、即席カップラーメンＣを手前に取り出す。このとき、即席カップラーメンＣの上縁とストッパーフレーム２０との当接状態が解放されているため、抵抗なく即席カップラーメンＣを取り出すことが可能となる。
（７）即席カップラーメンＣを取り出すことで、載置台４０は、上方へ付勢する伸縮性弾性部材３４の作用により自然と上方へ引き上げられ、定位置（スライドフレーム３１の上方位置）に戻る。
【００２７】
以上で構成される本実施形態にかかる発明電気ポット用熱湯注出補助具１０は、単に片手（指）で載置台４０を押し下げるだけで、熱湯が跳ねることなく安全且つ容易に即席カップラーメンＣに熱湯を注ぐことができる。
【実施例２】
【００２８】
他の実施形態について、図1（ｃ）を用いて説明する。上記第一の実施形態と同様の部分は省略する。
図1（ｃ）は、本発明にかかる電気ポット用熱湯注出補助具１０の第二の実施形態を示しており、詳しくは、ストッパー機構５０の詳細を示す断面説明図である。
本実施形態にかかる電気ポット用熱湯注出補助具１０は、載置台４０の上下スライド移動を制限するストッパー機構５０が設けて形成される。
【００２９】
ストッパー機構５０は、載置台４０の後方に突設されて、スライドフレーム３１に所定の間隔で列設される位置決め部５１へバネなどの弾性体５２を介して常時付勢するストッパー構造を有して形成される。
尚、ストッパー機構５０の構造、特に位置決め部５１の構造について、図面ではスライドフレーム３１に所定の間隔で列設される穴構造とした場合について示しているが、スライドフレーム３１内を上下移動し、所定の位置で停止する機能を有した構造であれば、その構造と手段は特に限定するものではなく、位置決め部５１の構造について、例えば凹凸状に所定の間隔で列設する凹溝を設けた略波型構造とすることも考え得る。
【００３０】
以上の通り構成される本実施形態にかかる電気ポット用熱湯注出補助具１０について、次にその使用態様について説明する。尚、説明の便宜上、即席カップラーメンＣに熱湯を注ぐ場合について説明する。
（１）から（３）迄ならびに（６）及び（７）については、上記第一の実施形態と同様である。
（４）引き上げられた載置台４０は、その上面に載せられた即席カップラーメンＣの上縁がストッパーフレーム２０に当接した状態で、ストッパー機構５０の弾性体５２が作動して停止する。
（５）電気ポットＰの熱湯スイッチを押して、即席カップラーメンＣに熱湯を注ぐ。熱湯が注がれた即席カップラーメンＣは、当初から次第に重量が増すため、伸縮性弾性部材３４の上方への付勢力が徐々に弱まり、載置台４０が少しづつ下方へ押し下げられる。これにより、即席カップラーメンＣの上縁とストッパーフレーム２０との当接状態が解放される。このとき、ストッパー機構５０の弾性体５２が作動して載置台４０の上下スライド移動が制限（伸縮性弾性部材３４の上方への付勢力が補助）されるため、必要以上に載置台４０が押し下げられることはない。
【００３１】
以上で構成される本実施形態にかかる発明電気ポット用熱湯注出補助具１０は、ストッパー機構５０の弾性体５２が作動して載置台４０の上下スライド移動が制限されるため、即席カップラーメンＣに熱湯を注ぐ際に必要以上に載置台４０が押し下げられずに、熱湯跳ねを防止し安全且つ容易に即席カップラーメンＣに熱湯を注ぐことができる。
【実施例３】
【００３２】
他の実施形態について、図２を用いて説明する。上記第一及び第二の実施形態と同様の部分は省略する。
図２は、本発明にかかる電気ポット用熱湯注出補助具１０の第三の実施形態を示しており、（ａ）は載置台４０おける第二のスライド機構４２を示す分解斜視図、（ｂ）は熱湯を即席カップラーメンＣに注ぐ状態を示す説明図、（ｃ）は即席カップラーメンＣを取り出す状態を示す説明図である。
本実施形態にかかる電気ポット用熱湯注出補助具１０は、載置台４０の上面に、前後にスライドならびに係止する構造を有する第二のスライド機構４２を備えたスライド載置板４１を設けて形成される。
【００３３】
スライド載置板４１は、載置台４０の上面に設けられ、即席カップラーメンＣの出し入れを容易にするもので、前後にスライドすると共に、一定量スライドすると停止する構造を有して形成される。
【００３４】
第二のスライド機構４２は、スライド載置板４１に設けられるスライド山形レール４４と載置台４０に設けられるスライドアリ溝４３の嵌合によって前後のスライド動作を可能にし、さらにスライド載置板４１に設けられるスライド係止長穴４６と載置台４０に設けられる係止突起４５によって一定の幅引き出されて停止する構造で形成される。
尚、第二のスライド機構４２は、載置台４０の上面において、スライド載置板４１が前後にスライドならびに係止する構造であれば、その構造と手段は特に限定するものではない。
【００３５】
以上の通り構成される本実施形態にかかる電気ポット用熱湯注出補助具１０について、次にその使用態様について説明する。尚、説明の便宜上、即席カップラーメンＣに熱湯を注ぐ場合について説明する。
（１）ならびに（３）から（５）迄ならびに（７）については、上記第一及び第二の実施形態と同様である。
（２）載置台４０の上面に設けられたスライド載置板４１の上面に密封蓋を開封した即席カップラーメンＣを載せ、その状態で該スライド載置板４１を奥側へスライドさせる（押し込む）。
（６）熱湯の注ぎが完了した段階で、即席カップラーメンＣを手前に取り出す。このとき、摘み４０ａを掴んで載置台４０の上面に設けられたスライド載置板４１を手前側へスライドさせる（引き出す）ことで、上方に何ら障害物が無い状態で即席カップラーメンＣを容易に取り出すことが可能となる。
【００３６】
以上で構成される本発明にかかる電気ポット用熱湯注出補助具１０は、載置台４０の前方に突出している摘み４０ａを使ってスライド載置板４１を前後にスライドさせることで、安全且つ容易に即席カップラーメンＣの載置及び取り出しが可能となる。
【実施例４】
【００３７】
他の実施形態について、図３を用いて説明する。上記第一乃至第三の実施形態と同様の部分は省略する。
図３は、本発明にかかる電気ポット用熱湯注出補助具１０の第四の実施形態を示しており、（ａ）は電気ポット用熱湯注出補助具１０のスライドフレーム３１が一の場合の全体を示す斜視図、（ｂ）は載置台４０に即席カップラーメンＣを載置した状態を示す説明図、（ｃ）は即席カップラーメンＣを載置台４０から取り出す状態を示す説明図である。
本実施形態にかかる電気ポット用熱湯注出補助具１０は、載置台４０の下端面の下方に延設されると共に、スライドフレーム３１の前面に当接する略三角状（形状は限定されない）に形成されるストッパー梁フレーム４７を設け、該ストッパー梁フレーム４７のスライドフレーム３１との当接面の下端に弾性を有する係止部材４８を突設して形成される。
【００３８】
ストッパー梁フレーム４７は、載置台４０の下端面の下方に延設されると共に、スライドフレーム３１の前面に当接する略三角状に形成されるもので、即席カップラーメンＣが載置されていない状態では、載置台４０は手前側がやや上方に傾斜し、即席カップラーメンＣが載置された状態では、熱湯が注がれた即席カップラーメンＣの自重によって載置台４０は水平状態となって、載置台４０のブレーキ機能として作用する。
【００３９】
係止部材４８は、ゴムやクッション性の高い柔軟な合成樹脂性素材で形成されて、ストッパー梁フレーム４７の下方先端部とスライドフレーム３１の前面に当接する箇所に設けて、即席カップラーメンＣが載置された状態において載置台４０が下方へ移動するのを防止するストッパーとしての役割を果たす。
【００４０】
以上の通り構成される本実施形態にかかる電気ポット用熱湯注出補助具１０について、次にその使用態様について説明する。尚、説明の便宜上、即席カップラーメンＣに熱湯を注ぐ場合について説明する。また、本実施形態における載置台４０は、手前側がやや上方に傾斜した状態となっている。
（１）から（４）迄ならびに（６）及び（７）については、上記第一乃至第三の実施形態と同様である。
（５）電気ポットＰの熱湯スイッチを押して、即席カップラーメンＣに熱湯を注ぐ。熱湯が注がれた即席カップラーメンＣは、当初から次第に重量が増すため、その即席カップラーメンＣの自重によって載置台４０はやや上方に傾斜した状態から徐々に水平状態となる。これにより、即席カップラーメンＣの上縁とストッパーフレーム２０との当接状態が解放される。このとき、ストッパー梁フレーム４７におけるスライドフレーム３１との当接面の下端に突設された係止部材４８がストッパーとなり、載置台４０の上下スライド移動が制限（伸縮性弾性部材３４の上方への付勢力が補助）されるため、必要以上に載置台４０が押し下げられることはない。
【００４１】
以上で構成される本実施形態にかかる電気ポット用熱湯注出補助具１０は、ストッパー梁フレーム４７と係止部材４８によるストッパー機能が作動することによって、即席カップラーメンＣに熱湯を注ぐ際に載置台４０が押し下げられずに、熱湯跳ねを防止し安全且つ容易に即席カップラーメンＣに熱湯を注ぐことができる。
【実施例５】
【００４２】
他の実施形態について、図４を用いて説明する。上記第一乃至第四の実施形態と同様の部分は省略する。
図４は、本発明にかかる電気ポット用熱湯注出補助具１０の第五の実施形態を示しており、（ａ）は全体斜視図、（ｂ）は拡散分解図である。
本実施形態にかかる電気ポット用熱湯注出補助具１０は、スタンド基台６０が、電気ポットＰを載置する板状の土台形状を形成してスライドフレーム３１の下端後方に設けられて成り、該スタンド基台６０に電気ポットＰを載置することで、補助具本体１１の安定設置が可能な構造となっている。
【００４３】
以上の通り構成される本実施形態にかかる電気ポット用熱湯注出補助具１０について、その使用態様は上記第一乃至第四の実施形態と同様である。
【００４４】
以上で構成される本実施形態にかかる電気ポットＰ用熱湯注出補助具１０は、スタンド基台６０がスライドフレーム３１の下端後方に設けられることによって、電気ポットＰ自体の重量によって補助具本体１１の安定性を確保することができる。
【産業上の利用可能性】
【００４５】
本発明は、極めて簡易的な構造で電気ポットの注ぎ口の直下に湯のみカップや即席カップラーメンを配置することが可能であり、しかも、熱湯を注ぐ際に跳ね返りならびに飛散の防止を図ることができることから、本発明にかかる「電気ポット用熱湯注出補助具」の産業上の利用可能性は極めて大であるものと思料する。
【符号の説明】
【００４６】
１０    電気ポット用熱湯注出補助具
１１    補助具本体
２０    ストッパーフレーム
３０    スライド機構
３１    スライドフレーム
３２    スライド溝
３３    スライドコマ
３４    伸縮性弾性部材
４０    載置台
４０ａ  摘み
４１    スライド載置板
４２    第二のスライド機構
４３    スライドアリ溝
４４    スライド山形レール
４５    係止突起
４６    スライド係止長穴
４７    ストッパー梁フレーム
４８    係止部材
５０    ストッパー機構
５１    位置決め部
５２    弾性体
６０    スタンド基台
Ｐ    電気ポット
Ｃ    即席カップラーメン
【要約】
【課題】電気ポットの注ぎ口の直下に配置することで熱湯の跳ね返りならびに飛散防止を図ることができる電気ポット用熱湯注出補助具の提供を図る。
【解決手段】熱湯の跳ね返りならびに飛散防止を図る電気ポット用熱湯注出補助具であって、ストッパーフレームと、スライド機構と、載置台と、スタンド基台と、で構成され、記ストッパーフレームは、前方が開口する略馬蹄形を有してスライド機構のスライドフレームの上端に設けられ、スライド機構は、スライドフレーム内に上方へ付勢する伸縮性弾性部材を配して電気ポットの前面または前方両側面に一または複数配置されると共に、載置台を上下にスライド可能とする構造を有して形成され、載置台は、スライドフレームの前方に突設するフラット状の板部材で形成されてスライドフレーム内を上下にスライド可能とする構造を有して形成され、スタンド基台は、補助具本体を安定的に支持する土台形状を形成してスライド機構のスライドフレームの下端に設けられて成る構成を採る。
【選択図】図１【図１】
0006000492.tif 000002
【図２】
0006000492.tif 000003
【図３】
0006000492.tif 000004
【図４】
0006000492.tif 000005